(57)【要約】【課題】尻栓を取り外すこと無く、容易に重心位置を調整することのできる釣竿を提供する。【解決手段】本発明に係る釣竿は、竿状に形成された竿本体と、該竿本体の竿尻側に支持された、前記竿本体の軸方向に相対移動可能なスライダーと、前記スライダーに連動して、前記竿本体の軸方向に移動し、重心位置を調整する錘とを備え、前記竿本体は、前記スライダーの移動を軸方向となるように規制する、軸方向に延びるガイド部を竿尻側に備えてなり、前記スライダーは、前記ガイド部に対する軸方向相対位置が異なる複数の位置にて、前記ガイド部に係止可能とされてなることを特徴とする。【選択図】  図１
2004305070.tif 000002
【特許請求の範囲】
【請求項１】
竿状に形成された竿本体（１）と、
該竿本体（１）の竿尻側に支持された、前記竿本体（１）の軸方向に相対移動可能なスライダー（３）と、
前記スライダー（３）に連動して、前記竿本体（１）の軸方向に移動し、重心位置を調整する錘（５）とを備え、
前記竿本体（１）は、前記スライダー（３）の移動を軸方向となるように規制する、軸方向に延びるガイド部（７）を竿尻側に備えてなり、
前記スライダー（３）は、前記ガイド部（７）に対する軸方向相対位置が異なる複数の位置にて、前記ガイド部（７）に係止可能とされてなることを特徴とする釣竿。
【請求項２】
前記スライダー（３）は、前記竿本体（１）の外側に露出している請求項１記載の釣竿。
【請求項３】
前記ガイド部（７）は、前記スライダー（３）の係入された溝（７）であり、該溝（７）は、軸方向に間隔を於いて複数の係止用凹部（７ａ）を備えてなり、
前記スライダー（３）は、出没可能で且つ前記係止用凹部（７ａ）と係合する係止用凸部（９）を備え、前記係止用凹部（７ａ）と係止用凸部（９）との係合により、前記ガイド部（７）に係止可能とされている請求項１又は２記載の釣竿。
【請求項４】
前記竿本体（１）は、中空管状に形成され、前記溝（７）は、竿本体（１）の内側と外側とを貫通したスリット（７）とされてなり、前記錘（５）は、前記竿本体（１）の内側に収容され、前記スリット（７）に係入された前記スライダー（３）に支持されている請求項３記載の釣竿。
【発明の詳細な説明】
【０００１】
【発明の属する技術分野】
本発明は、釣竿に関し、詳しくは、重心位置を調整することのできる釣竿に関する。
【０００２】
【従来の技術】
一般に、竿先を上げた状態又は下げた状態で保持したり、仕掛けを投入したりする際に、釣竿を把持する位置から釣竿の重心位置が離れていると、釣竿に持ち重り（自重以上に重たく感じられること）が生じることから、従来より、釣竿の重心位置を調整できる釣竿が提案されている。
従来、この種の釣竿としては、尻栓の竿本体に挿入される部分に、錘を収容する収容部が設けられてなるものが知られている（例えば、特許文献１参照）。
【０００３】
【特許文献１】
実公平８−１０２７４号公報（請求の範囲、図１）
【０００４】
斯かる釣竿に於いては、尻栓を取り外し、収容部内に錘を入れることにより、釣竿の重心位置を変えることができ、また、収容する錘の量を調整することにより、釣り人の所望する位置に重心位置を調整することができる。
【０００５】
【発明が解決しようとする課題】
しかしながら、上記従来の釣竿は、重心位置を調整するたびに、尻栓を取り外さなければならず、重心位置の調整が非常に煩雑であるという問題を有している。
【０００６】
そこで、本発明は、上記従来の問題点に鑑み、尻栓を取り外すこと無く、容易に重心位置を調整することのできる釣竿を提供する。
【０００７】
【課題を解決するための手段】
上記課題を解決すべく、本発明に係る釣竿は、
竿状に形成された竿本体と、
該竿本体の竿尻側に支持された、前記竿本体の軸方向に相対移動可能なスライダーと、
前記スライダーに連動して、前記竿本体の軸方向に移動し、重心位置を調整する錘とを備え、
前記竿本体は、前記スライダーの移動を軸方向となるように規制する、軸方向に延びるガイド部を竿尻側に備えてなり、
前記スライダーは、前記ガイド部に対する軸方向相対位置が異なる複数の位置にて、前記ガイド部に係止可能とされてなることを特徴とする。
【０００８】
斯かる構成からなる釣竿に於いては、スライダーを軸方向に移動させることにより、錘を軸方向に移動させ、軸方向相対位置が異なる複数の位置の内、所望する位置にスライダーを係止させることができるので、尻栓を取り外すこと無く、容易に重心位置を調整することができる。
【０００９】
本発明に於いては、スライダーが竿本体の外側に露出しているものが好ましい。
斯かる構成からなる釣竿は、外側からスライダーの移動を操作することができ、重心位置の調整がより一層容易なものとなる。
【００１０】
また、本発明に於いては、前記ガイド部が、前記スライダーの係入された溝であり、該溝は、軸方向に間隔を於いて複数の係止用凹部を備えてなり、前記スライダーは、出没可能で且つ前記係止用凹部と係合する係止用凸部を備え、前記係止用凹部と係止用凸部との係合により、前記ガイド部に係止可能とされている構成を採用することもできる。
【００１１】
斯かる構成からなる釣竿は、係止用凸部を没状態とすることにより、溝に沿ってスライダーを容易にスライドさせることができ、また、出状態とすることにより、所望の係止用凹部と係合させて、竿本体のガイド部の所望位置にスライダーを係止させることができる。
【００１２】
更に、斯かる構成の採用された釣竿に於いては、前記竿本体は、中空管状に形成され、前記溝は、竿本体の内側と外側とを貫通したスリットとされてなり、前記錘は、前記竿本体の内側に収容され、前記スリットに係入された前記スライダーに支持されているものが好ましい。
斯かる構成の釣竿に於いては、錘が竿本体の外部に露出して釣りの邪魔になる虞もない。
【００１３】
【発明の実施の形態】
以下、本発明の実施の形態に付いて、図面を参照しつつ説明する。
図１は、本実施形態の釣竿の竿尻側を示す上面図、図２は、図１のＡ−Ａ線断面図である。
図１、２に示すように、本実施形態の釣竿は、竿状に形成された竿本体１と、該竿本体１の竿尻側に支持され且つ竿本体１の軸方向に相対移動可能なスライダー３と、前記スライダー３に支持された錘５とを備えて構成されている。
【００１４】
前記竿本体１は、中空管状の竿管２から主構成されてなり、該竿管２は、例えば、カーボン繊維に合成樹脂が含浸されてなるカーボンプリプレグを管状に成形する等の公知の方法により製造されている。
前記竿本体１には、竿尻側にてリールを装着するリールシート部２５が備えられ、該リールシート部２５には、リールの足を挿入してリールを固定するフロント、リア一対のフードが備えられている。尚、図１に於いては、リアフード２１のみが示されている。
【００１５】
また、前記竿本体１には、竿管２の開口した竿尻端を閉塞するように、竿管２の竿尻側端部に取り付けられた尻栓１１が備えられている。
【００１６】
更に、前記竿本体１には、リールシートよりも竿尻側の部分に、竿管２の内外を連通し軸方向に延びるスリット７が備えられている。
前記スリット７は、軸方向に延在し、竿管２の竿尻側端縁にまで延びており、尻栓１１を取り外すと竿本体１の外部に開通されるようになっている。
前記スリット７は、好ましくは、竿管２の竿尻側端縁から竿先方向に５〜２０ｃｍ、より好ましくは１０〜１５ｃｍ程度延びている。
【００１７】
前記スリット７には、スライダー３が軸方向に相対移動可能となるように、軸方向面３ｂ、３ｂの両方が挟まれた状態でスライダー３が挟入されており、該スリット７が、スライダー３の移動方向を軸方向に規制するガイド部７となっている。
【００１８】
前記スリット７は、スライダー３の軸方向の移動を禁止すべく、軸方向に等間隔を空けて、スライダー３を係止するための複数の係止用凹部７ａを備えている。この係止用凹部７ａは、長手方向に延びるスリット縁７ｂの一方側に備えられている。
詳しくは、前記係止用凹部７ａは、スリット７を画するように、互いに対向した竿管２のスリット区画縁部２ａの一方を、半円状に切り欠くことにより、該区画縁部２ａを半円状に凹入させて形成されている。
【００１９】
前記スライダー３は、外側表面１５が竿本体１の外側に露出し且つ凸出した状態で、スリット７に係入されている。このスライダー３の露出した外側表面１５には、滑り止め用の複数の筋２０が、軸方向と直交する方向に形成されている。
【００２０】
図３は、スライダー３を示す下方側から見た斜視図であり、図４（イ）（ロ）は、スライダー３を竿本体１の外周面に沿って切断した一部破断を含む概略上面図である。
図３に示すように、前記スライダー３は、内側に板バネ部材４の収容された収容部１３を備えた略直方体のスライダー本体３ａと、スライダー本体３ａの上部にて、それぞれ幅方向に延出した左右一対の上フランジ１４と、スライダー本体３ａの下部にて、それぞれ幅方向に延出した左右一対の下フランジ１５とを備えて構成されている。
【００２１】
前記スライダー３は、軸方向に向く両面に於いて、上フランジ１４と下フランジ１５の間に形成された溝１０の両方に、それぞれ対を成すスリット区画縁部２ａの一方が挟入されることにより、対を成すスリット区画縁部２ａに挟まれて、竿本体１に支持（具体的には、スリット７に挟入）されている。
【００２２】
図３、４に示すように、前記スライダー本体３ａは、出没可能で且つ前記係止用凹部７ａと係合する係止用凸部９を備えている。
この係止用凸部９と複数の係止用凹部７ａの何れかとが係合することによって、前記スライダー３は、軸方向相対位置が異なる複数の位置にて、ガイド部７に係止されうるようになっている。
【００２３】
図３、図４（イ）に示すように、前記係止用凸部９は、スライダー本体３ａに設けられた孔１１から半円状に突出した板バネ部材４により構成されている。尚、前記孔１１は、スライダー本体３ａの収容部１３を画する軸方向に沿った壁部１６の軸方向中間部分において、外部と内部とを連通するように設けられている。
前記板バネ部材４は、帯状に形成されてなり、長手方向中間部に、半円状に湾曲した湾曲部４ａが形成されてなり、湾曲部４ａが前記壁部１６の孔１１から外方に突出し且つ両端部４ｂが孔１１の設けられた壁部１６と対向する壁部１６に当接する状態で、収容部１３に収容されている。
そして、前記孔１１から外方に突出した湾曲部４ａが、前記係止用凸部９となっている。
【００２４】
前記係止用凸部９は、上述の如く、出没可能で、板バネ部材４の保有弾性により出方向に付勢されている。
従って、図４（イ）に示すように、スリット７の係止用凹部７ａと孔１１との軸方向位置が一致する場合には、係止用凸部９が突出して係止用凹部７ａと係合する係合状態となり、スライダー３がガイド部７の所定位置に係止されることとなる。
また、図４（ロ）に示すように、係止用凹部７ａと孔１１との軸方向位置が一致しない場合には、係止凸部が没入し係止用凹部７ａと係合しない係合解除状態となり、スライダー３は、ガイド部７に係止されずに軸方向に移動しうることとなる。
【００２５】
前記錘５は、鉛、タングステン等からなるアルミ（比重２．７）よりも比重の大きい材料、好ましくは、ステンレス（比重７．９）よりも比重の大きい材料からなり、重さが好ましくは１０〜１００ｇ、より好ましくは３０〜１００ｇで、図２、５に示すように、竿管２の内径よりも僅かに径小な円柱状の部材である。
前記錘５は、ネジ孔１１を有しており、竿管２の内側に収容された状態でネジ１８を介してスライダー３に支持されており、スライダー３と一体となって竿本体１の軸方向に移動しうるようになっている。
【００２６】
本実施形態の釣竿は、上記の如く構成されてなるが、該釣竿の重心位置を調整する場合には、先ず、図４（イ）に示すように、係止された状態のスライダー３を、外側表面を指で強く押して軸方向に移動させ、これによって、図４（ロ）に示すように、係止用凸部９たる板バネ部材４の湾曲部４ａと係止用凹部７ａとの係合を解除させる。
次いで、錘５を竿管２内において移動させるべく、スライダー３を軸方向に移動させ、重心位置が所望の位置となるように、所望の係止用凹部７ａと係止用凸部９とを係合させて、スライダー３を所望の位置に係止させ、錘５を所望の位置に維持させる。
このように、本実施形態の釣竿に於いては、単にスライダー３を指で押して所望の位置に移動させるという簡便な操作により、容易に釣竿の重心位置を調整することができる。
【００２７】
尚、本実施形態の釣竿は、上記の如く構成されたが、本発明の釣竿は、上記構成に限定されず、本発明の意図する範囲内において、適宜設計変更可能である。
【００２８】
【発明の効果】
以上のように、本発明の釣竿は、尻栓を取り外すこと無く、容易に重心位置を調整することができるという効果を奏する。
【図面の簡単な説明】
【図１】実施形態の釣竿の竿尻側を示す概略上面図。
【図２】図１のＡ−Ａ線断面図。
【図３】同実施形態に於けるスライダーの下側を示す概略斜視図。
【図４】同実施形態に於いて、スライダーを竿本体の外周面に沿って切断した一部破断を含む概略上面図であり、
（イ）は、係止用凸部と係止用凹部が係合した状態を示す概略上面図。
（ロ）は、係止用凸部と係止用凹部の係合が外れた状態を示す概略上面図。
【図５】同実施形態に於けるスライダー及び錘を示す概略斜視図。
【符号の説明】
１・・・竿本体、３・・・スライダー、５・・・錘、７・・・スリット（溝、ガイド部）、７ａ・・・係止用凹部、９・・・係止用凸部
【図１】
2004305070.tif 000003
【図２】
2004305070.tif 000004
【図３】
2004305070.tif 000005
【図４】
2004305070.tif 000006
【図５】
2004305070.tif 000007